(57)【特許請求の範囲】
【請求項１】
矩形の床部材と、該床部材の４周に立ち上げたそれぞれ長短一対ずつの外壁部材と、前記床部材を仕切る位置に取り付けた内壁部材と、前記外壁部材の上に取り付けた山形断面の屋根部材とを備えた組立家屋であって、
前記床部材は、複数の矩形の床部材パネルを連結して構成されており、
前記床部材の４周に立ち上げた外壁部材は、長尺の外壁部材にあっては少なくとも３つに分割された複数の外壁部材パネルを連結し、短尺の外壁部材にあっては少なくとも２つに分割された複数の外壁部材パネルを連結して構成され、少なくともいずれか１つの外壁部材パネルにはドアおよび／または窓が付設されていて、かつ表面・裏面もしくは上下を反転できるパネル構成となっており、
前記床部材を仕切る位置に取り付けた内壁部材は、前記床部材をその長さ方向に仕切る一対の第１の内壁部材パネルと、該第１の内壁部材と短尺の外壁部材との間を仕切る一対の第２の内壁部材パネルとで構成され、かつ表面・裏面もしくは上下を反転できるパネル構成となっており、
前記屋根部材は少なくとも山形の両側にそれぞれ分割される一対の屋根部材パネルを連結して構成されており、
前記複数の外壁部材パネルと第１および第２内壁部材パネルのそれぞれの位置を変え、あるいは表面・裏面もしくは上下を反転させることによって、ドアおよび窓の位置の変更と、間取りの変更とを可能としたことを特徴とする組立家屋。
【請求項２】
前記床部材パネルおよび外壁部材パネルは、その外周を取巻く枠体によって連結されていることを特徴とする請求項１記載の組立家屋。
【請求項３】
前記床部材パネルおよび外壁部材パネルは、それぞれ凹溝を備えた継ぎ構造によって連結されていることを特徴とする請求項１または２記載の組立家屋。
【請求項４】
前記各部材のパネルは、ボルトおよびナットによってそれぞれ連結されていることを特徴とする請求項１ないし３のいずれかに記載の組立家屋。
【請求項５】
前記各部材のパネルは、所定間隔に配置した芯材の両側にコンポジットパネル（compositepanel）を貼り付け、その間の中空部分に断熱材を充填するとともに、その外面に所望の表面材を取り付けることにより、どちらの面をも室外あるいは室内面として利用できるようにしたことを特徴とする請求項１ないし４のいずれかに記載の組立家屋。
【請求項６】
前記各部材のパネルは、その中空部分に断熱材としてウレタンフォームを充填することにより、水に浮く浮力を付与されていることを特徴とする請求項５に記載の組立家屋。
【発明の詳細な説明】
【技術分野】
【０００１】
この発明は、工場で各部材のパネルを製造し、各部材のパネルを輸送車両を用いて現地へ運搬して、現地で簡単に組み立てることができるようにした組立家屋に関するものである。
【背景技術】
【０００２】
従来、組立家屋としてはあらかじめ部材を工場で生産・加工し、建築現場で加工を行わず組み立てるだけの作業を行うようにしたプレハブ工法を用いたものがよく知られている。
【０００３】
そのようなプレハブ工法を用いた組立家屋の例を以下に示す。
１）実開昭６０−１３７００１号公報（特許文献１参照）には、パネルの辺部に切欠きを設け、それに合致する切欠きのある連結具により組み立てる組立て小屋が示されている。
２）特開昭６０−１４１９３７号公報（特許文献２参照）には、組立家屋において、
（イ）規格化された形状及び大きさに形成されている木製の壁パネルを所要枚数組合わせて構築される屋根部と、
（ロ）規格化された形状及び大きさに形成されている木製の壁パネルを、柱を介することなく所要枚数組合わせて構築される壁部とを具備し、
（ハ）屋根パネルの裏面であって壁パネルの上端部と接する箇所に取着部が設けられており、壁部の上に屋根部を載せ、この取着部と壁パネルとを固着して組み立てる
ことを特徴とする組立家屋が示されている。
３）特開昭４８−１００９１９号公報（特許文献３参照）には、柱と耐力壁とを一体としてなるＬ型、Ｔ型、Ｚ型、十字型等のブロック部材の一種または数種を建物の角隅部および要所に配し、これを梁または壁パネルでつないだラーメン構造としたことを特徴とするプレハブ建物が示されている。
【０００４】
また、工場で各部材のパネルを製造してあらかじめ最終的な構造に組み立ておき、これをそのまま輸送車両で運搬して、現地においては設置だけの作業を行うようにしたプレハブ工法も用いられている。
しかしながら、コンテナハウスのようなある程度大型の建築物をあらかじめ最終的な構造に組み立ておき、これをそのまま輸送車両で運搬する場合、日本の道路事情によって建築物を搭載した大型車両が一般道路を通行できないという問題が往々にして発生しやすく、国内事情によって普及が阻害されている。
【先行技術文献】
【特許文献】
【０００５】
【特許文献１】実開昭６０−１３７００１号公報
【特許文献２】特開昭６０−１４１９３７号公報
【特許文献３】特開昭４８−１００９１９号公報
【発明の概要】
【発明が解決しようとする課題】
【０００６】
そこで、前述のようなあらかじめ部材を工場で生産・加工し、建築現場で加工を行わず組み立てるだけの作業を行うようにしたプレハブ工法を用いた組立家屋を採用する必要が出てくるのであるが、従来のプレハブ工法を用いた組立家屋においては以下のような問題点が認められる。
ａ．ドアや窓等の開口部のレイアウトに自由度がなく、複数戸を並べて建築する場合に画一的にドアや窓等が配置された組立家屋が並ぶことになってしまい、居住者には非常に大きな不評を買ってしまうことになる。
ｂ．フロアのレイアウトに自由度がなく、複数戸を並べて建築する場合に画一的な間取りの組立家屋が並ぶことになってしまい、居住者には非常に大きな不評を買ってしまうことになる。
ｃ．壁部材の配置を変更することによってある程度のレイアウトの変更は可能であるが、ドアや窓等の開口部の配置が変らないので、前述のような画一性の問題は解消されない。
【０００７】
したがってこの発明は、フロアのレイアウトはもちろん、ドアや窓等の開口部のレイアウトにおいてもその配置を変更したり、表面・裏面もしくは上下を反転させることができるので、フロアのレイアウトのみならずドアや窓等の開口部のレイアウトにおいても飛躍的にバリエーションを増やすことができ、複数戸を並べて建築する場合にも画一的な間取りの組立家屋が並ぶことがなく、居住者において大きな満足感を与えることができる組立家屋を提供しようとするものである。
【課題を解決するための手段】
【０００８】
すなわちこの発明の組立家屋は、矩形の床部材と、該床部材の４周に立ち上げたそれぞれ長短一対ずつの外壁部材と、前記床部材を仕切る位置に取り付けた内壁部材と、前記外壁部材の上に取り付けた山形断面の屋根部材とを備えた組立家屋であって、
前記床部材は、複数の矩形の床部材パネルを連結して構成されており、
前記床部材の４周に立ち上げた外壁部材は、長尺の外壁部材にあっては少なくとも３つに分割された複数の外壁部材パネルを連結し、短尺の外壁部材にあっては少なくとも２つに分割された複数の外壁部材パネルを連結して構成され、少なくともいずれか１つの外壁部材パネルにはドアおよび／または窓が付設されていて、かつ表面・裏面もしくは上下を反転できるパネル構成となっており、
前記床部材を仕切る位置に取り付けた内壁部材は、前記床部材をその長さ方向に仕切る一対の第１の内壁部材パネルと、該第１の内壁部材と短尺の外壁部材との間を仕切る一対の第２の内壁部材パネルとで構成され、かつ表面・裏面もしくは上下を反転できるパネル構成となっており、
前記屋根部材は少なくとも山形の両側にそれぞれ分割される一対の屋根部材パネルを連結して構成されており、
前記複数の外壁部材パネルと第１および第２内壁部材パネルのそれぞれの位置を変え、あるいは表面・裏面もしくは上下を反転させることによって、ドアおよび窓の位置の変更と、間取りの変更とを可能としたことを特徴とするものである。
【０００９】
この発明の組立家屋において、前記床部材パネルおよび外壁部材パネルは、その外周を取巻く枠体によって連結されていることをも特徴とするものである。
【００１０】
この発明の組立家屋において、前記床部材パネルおよび外壁部材パネルは、それぞれ凹溝を備えた継ぎ構造によって連結されていることをも特徴とするものである。
【００１１】
この発明の組立家屋において、前記各部材のパネルは、ボルトおよびナットによってそれぞれ連結されていることをも特徴とするものである。
【００１２】
この発明の組立家屋において、前記各部材のパネルは、所定間隔に配置した芯材の両側にコンポジットパネル（compositepanel）を貼り付け、その間の中空部分に断熱材を充填するとともに、その外面に所望の表面材を取り付けることにより、どちらの面をも室外あるいは室内面として利用できるようにしたことをも特徴とするものである。
【００１３】
この発明の組立家屋において、前記各部材のパネルは、その中空部分に断熱材としてウレタンフォームを充填することにより、水に浮く浮力を付与されていることをも特徴とするものである。
【発明の効果】
【００１４】
この発明のプレハブ工法を用いた組立家屋においては以下のような作用効果を奏することが認められる。
ａ．ドアや窓等の開口部のレイアウトを、各壁部材の配置や表面・裏面もしくは上下を反転させることにより自由に変更することができ、複数戸を並べて建築する場合にあっても画一的にドアや窓等が配置された組立家屋が並ぶことがなく、居住者の不評を大幅に減少させることができる。
ｂ．フロアのレイアウトを床部材の配置を変えることにより自由に変更することができ、複数戸を並べて建築する場合であっても画一的な間取りの組立家屋が並ぶことがなく、居住者の不評を大幅に減少させることができる。
【００１５】
以上のように、この発明においてはフロアのレイアウトはもちろん、ドアや窓等の開口部のレイアウトにおいてもその配置を変更したり、表面・裏面もしくは上下を反転させることができるので、フロアのレイアウトのみならずドアや窓等の開口部のレイアウトにおいても飛躍的にバリエーションを増やすことができ、複数戸を並べて建築する場合にも画一的な間取りの組立家屋が並ぶことがなく、居住者において大きな満足感を与えることができる組立家屋を提供できるようになった。
【００１６】
この発明の組立家屋においては、各部材を共通の構造を備えたものとすることにより大幅なコストの低減を図ることができ、しかもレイアウトや配置を変更する場合でも、現場において加工をする必要がなく、現場施工を単純化して施工ミスを防ぐことができる。
【図面の簡単な説明】
【００１７】
【図１】この発明の組立家屋の１実施例を説明するための外壁１および屋根を含む正面図である。
【図２】外壁２および屋根を含む正面図である。
【図３】外壁３、外壁４および屋根を含む正面図である。
【図４】外壁５、外壁６および屋根を含む正面図である。
【図５】内壁１および屋根を含む正面図である。
【図６】内壁２および屋根を含む正面図である。
【図７】内壁３の正面図である。
【図８】内壁４の正面図である。
【図９】床面を示す平面図である。
【図１０】屋根の平面図である。
【図１１】ドア枠を説明する概略断面図である。
【図１２】木製外壁と床パネルの関係を示す説明図である。
【図１３】木製窓枠の断面構造を示す説明図である。
【図１４】この発明の組立家屋の組立方法を示す各部材の分解状態の斜視図である。
【図１５】外壁及び内壁部材を組付けた状態の斜視図である。
【図１６】内壁部材を床部材上に組付けた状態の斜視図である。
【図１７】内壁部材を床部材上に組付けた状態の別のパターンを示す斜視図である。
【発明を実施するための形態】
【００１８】
以下図面に基づいて、この発明の組立家屋の実施の形態を詳細に説明する。
図１ないし図１３は、この発明の組立家屋の１実施例を示すものである。
この発明の組立家屋は、全体としてほぼ矩形の床部材１１と、該床部材１１の４周に立ち上げたそれぞれ長短一対ずつの外壁部材１２，１３と、前記床部材１１を仕切る位置に取り付けた内壁部材１４と、前記外壁部材１２，１３の上に取り付けた山形断面の屋根部材１５とを備えている。
前記各部材を構成するパネルＰは、所定間隔に配置した芯材Ｓの両側にコンポジットパネル（composite panel）Ｃを貼り付け、その間の中空部分に断熱材Ｈを充填するとともに、室外あるいは室内面のそれぞれに所望の表面材（図示せず）を取り付けるようにしたものである。
【００１９】
前記断熱材としては、グラスウールやロックウール等の無機系断熱材、ウレタンフォームやフェノールフォーム、難燃性ポリスチレンフォーム等の発泡素材からなる有機系断熱材等を使用することができる。ちなみに、床部材１１や外壁部材１２，１３、内壁部材１４、屋根部材１５にウレタンフォームを充填して使用した場合には、浮力を付与できるために津波や川の氾濫で組立家屋が流されても水面から没することがなく、救命その他災害対策の面で非常に有意義である。
【００２０】
図１およびないし図４に示すように、前記床部材１１の４周に立ち上げた外壁部材１２，１３は、長尺の外壁部材１２にあっては少なくとも３つに分割された複数の外壁部材パネル１２−１，１２−２，１２−３を連結し、短尺の外壁部材１３にあっては少なくとも２つに分割された複数の外壁部材パネル１３−１，１３−２をそれぞれ連結して構成されている。
【００２１】
図１における玄関側の外壁部材１２（外壁１）にあっては、ほぼ中央に小窓２１を取り付けた短めの外壁部材パネル１２−１ａと、ドア２２および窓２３を取り付けた長めの外壁部材パネル１２−２ａと、開口部の無い短めの外壁部材パネル１２−３ａによる構成となっている。
また、図２における反対側の外壁部材１２（外壁２）にあっては、開口部の無い短めの外壁部材パネル１２−１ｂと、窓２４を取り付けた長めの外壁部材パネル１２−２ｂと、開口部の無い短めの外壁部材パネル１２−３ｂによる構成となっている。
したがって、単に複数の外壁部材パネル１２−１，１２−２，１２−３の配置を変えることにより、各パネルのレイアウトや、ドア２２，窓２１，２３，２４の位置を自在に変えることができる。
【００２２】
また、前記外壁部材パネル１２−１，１２−２，１２−３を構成するパネルＰは、その外面に所望の表面材を取り付けることにより、どちらの面をも室外あるいは室内面として利用することができる。
したがって、各外壁部材パネル１２−１，１２−２，１２−３の面を表面・裏面もしくは上下を反転することにより、各パネルのレイアウトや、ドア２２，窓２１，２３，２４の位置を自在に変えることができる。
【００２３】
図３における短尺の外壁部材１３（外壁３および４）にあっては、縦長の窓３１を取り付けた右側に向けて右上がりとなっている外壁部材パネル１３−１ａと、開口部の無い左側に向けて左上がりとなっている外壁部材パネル１３−２ａによる構成となっており、前記長辺側で接合することにより、上辺を山形になるよう連結することができる。
また、図４における反対側の外壁部材１３（外壁５および６）にあっては、それぞれ上下に一対の窓３２ａ，３２ｂを取り付けた右側に向けて右上がりとなっている外壁部材パネル１３−１ｂ、および上下に一対の窓３２ｃ，３２ｄを取り付けた左側に向けて左上がりとなっている外壁部材パネル１３−２ｂによる構成となっており、前記長辺側で接合することにより、上辺を山形になるよう連結することができる。
したがって、単に複数の外壁部材パネル１３−１，１３−２の配置を変えることにより、各パネルのレイアウトや窓３１，３２の位置を自在に変えることができる。
【００２４】
また、前記外壁部材パネル１３−１，１３−２を構成するパネルＰは、その外面に所望の表面材を取り付けることにより、どちらの面をも室外あるいは室内面として利用することができる。
したがって、各外壁部材パネル１３−１，１３−２の面を表面・裏面もしくは上下を反転することにより、各パネルのレイアウト、また窓３１，３２の位置を自在に変えることができる。
【００２５】
図５ないし図８は、前記床部材１１を仕切る位置に取り付けた内壁部材１４（内壁１ないし４）を示すものであり、該内壁部材１４は前記床部材１１をその長さ方向に仕切る一対の第１の内壁部材パネル１４−１と、該第１の内壁部材１４−１と短尺の外壁部材１３との間を仕切る一対の第２の内壁部材パネル１４−２とで構成されている。
【００２６】
図５に示す、第１の内壁部材パネル１４−１ａ（内壁１）は、中央とその片側に通路用開口４１，４２を備えるとともに、上部は棟木Ｍ部分を開放した山形部材４３が取り付けられており、この山形部材４３によって前記屋根部材１５が支持できるようになっている。
図６に示す、第１の内壁部材パネル１４−１ｂ（内壁２）は、中央に向き合うように通路用開口４４，４５を備えるとともに、上部は開放されており、各室間の通気性が確保できるようになっている。
もちろん、前記通路用開口４１，４２，４４，４５に簡易なドアを取り付けることは自由である。
【００２７】
図７および図８は、前記第１の内壁部材１４−１と短尺の外壁部材１３との間を仕切る一対の第２の内壁部材パネル１４−２を示し、図７の内壁部材パネル１４−２ａ（内壁３）は、ほぼ屋根部材１５の頂点に達する高さを備えている。
また図８の内壁部材パネル１４−２ｂ（内壁４）は、各外壁部材パネル１３−１，１３−２とほぼ同じ高さを備えている。
したがって、内壁部材パネル１４−２ａおよび内壁部材パネル１４−２ｂを、前記第１の内壁部材１４−１と短尺の外壁部材１３との間のどの位置で仕切るかによって、各区画内を密閉空間とするか、上部開放空間とするかを適宜選択することができる。
【００２８】
図９に示すように、前記全体としてほぼ矩形に形成された床部材１１は、幅の広い１枚の床部材パネル１１−１と、ほぼ同一の中間的な幅の２枚の床部材パネル１１−２，１１−３と、幅の狭い１枚の床部材パネル１１−４の４枚のパネルで構成されている。前記幅の広い床部材パネル１１−１はその幅がトイレを付設したバスユニットＵの長さと一致させることが望ましい。
そして、各床部材パネル１１−１〜１１−４の配列を変えることにより、フロアのレイアウトを自由に変更することができる。
【００２９】
ちなみに、図９においては床部材１１の左下にトイレを付設したバスユニットＵが、またその上に寝室ＳＲ−１が配置されており、第１の内壁部材パネル１４−１ａ（内壁１）に設けた通路用開口４１，４２によって出入りができるようになっている。前記バスユニットＵと寝室ＳＲ−１との仕切りは、ほぼ屋根部材１５の頂点に達する高さを備えた内壁部材パネル１４−２ａ（内壁３）によって行うことができる。
他方、床部材１１の右側にはそれぞれ寝室ＳＲ−２，ＳＲ−３が配置されており、第１の内壁部材パネル１４−１ｂ（内壁２）に設けた中央に向き合う通路用開口４４，４５によって出入りができるようになっている。前記寝室ＳＲ−２、ＳＲ−３間の仕切りは、各外壁部材パネル１３−１，１３−２とほぼ同じ高さの内壁部材パネル１４−２ｂ（内壁４）によって行うことができ、上部解放部分によってそれぞれの間は通気性が確保されている。
なお、図においてＫはキッチン、ＬＤはリビングダイニングである。
【００３０】
前記屋根部材１５は少なくとも山形の両側にそれぞれ分割される一対の屋根部材パネル１５−１，１５−２を連結して構成されている。
もちろん、前記一対の屋根部材パネル１５−１，１５−２を１枚の長尺パネルとして利用しても、それぞれの屋根部材パネル１５−１，１５−２をさらに細分化して連結できるようにしたものとして利用してもよい。
この一対の屋根部材パネル１５−１，１５−２は前記外壁部材１２，１３上に組み付けた際に、その両側が長尺の外壁部材１２の外側にはみ出て軒Ｎが構成されるよう、その幅を広めにしておくことが望ましい。
【００３１】
前記床部材パネル１１−１〜１１−４および外壁部材パネル１２−１〜１２−３は、その外周を取巻く木製等からなる枠体（図示省略）によって連結することができる。
【００３２】
図１１において、矩形断面のドア枠５１は、長辺側の片面に外壁部材１３もしくは内壁部材１４をはめ込む幅広の凹溝５２が形成されており、また短辺側の片面に外壁部材パネル１３−１，１３−２をはめ込む凹溝５３が形成されている。
【００３３】
前記床部材パネル１１−１〜１１−４と外壁部材パネル１２−１〜１２−３は、図１２に示すように突き合わされ、かつボルトおよびナット（図示せず）によってそれぞれより確実に連結しておくことが望ましい。
【００３４】
図１３は窓構造の１例を示すものであり、窓枠６１の内側に例えば木製のサッシ６２がはめ込まれており、かつ該サッシ６２は上端部分で窓枠６１に沿ってスライド可能となっていて、下端部分は窓の外側に向かってスイングして、ほぼ１８０°回転できるようになっている。
【００３５】
図１４は、この発明の組立家屋の組立方法を示す各部材の分解状態の斜視図である。この図１４は図９のフロアパターンおよび各壁部材の配置パターンを示すものである。該図においては、外壁部材１２−２（ａ）はドア２２が左に、窓２３が右に対置されている。
そして図１５は、図１４のフロアパターンおよび壁部材の配置パターンにおいて、外壁及び内壁部材を組付けた状態の斜視図、図１６はさらに内壁部材を床部材上に組付けた状態の斜視図であり、次いで各部材を最終的に組み付けることにより、図９のフロアパターンおよび各壁部材の配置パターンが完成するのである。
【００３６】
図１７は、図１４のフロアパターンおよび壁部材の配置パターンにおいて、内壁部材を床部材上に組付けた状態の別のパターンを示す斜視図である。
図１７においては、外壁部材１２−２（ａ）は図１４に対してその表面・裏面を反転させることによって、ドア２２が右に窓２３が左に配置されており、また外壁４と外壁６とが入れ替わるように配置されている。
もちろん、フロアパターンおよび壁部材の配置パターンはこのような例に限定されるものではなく、床部材や外壁部材、内壁部材の配置を変えたり、ドアや窓を取り付けた外壁部材の表面・裏面を入れ替えることにより、フロアパターンや各壁部材の配置パターンを自在に変えることができる。
したがって、組立家屋のメーカーや購入者は、多様なバリエーションの中から希望するドアや窓等のレイアウトやフロアのレイアウトを選ぶことができるようになるのである。
【００３７】
前記各部材パネルの内部には、あらかじめ所定の位置に各種の配線が施工されている。
例えば、電気配線を施してコンセントを室内側に配置したり、電話回線を施して電話回線用のジャックを室内側に配置したり、ＡＶ機器用の配線を施しておくことができる。
【産業上の利用可能性】
【００３８】
この発明は以上のように構成されており、災害時における応急仮設住宅として居住者に十分な満足感を与えることが可能なグレードの高い組立家屋を提供することができる。
【００３９】
また、避暑地や別荘地における住居としても、多様なバリエーションの中から希望するドアや窓等のレイアウトやフロアのレイアウトを選ぶことができるため、コスト以上に満足感の高い組立家屋を供給することができる。
【符号の説明】
【００４０】
１１床部材
１１−１，１１−２，１１−３，１１−４床部材パネル
１２外壁部材
１２−１，１２−２，１２−３外壁部材パネル
１２−１ａ，１２−２ａ，１２−３ａ外壁部材パネル
１２−１ｂ，１２−２ｂ，１２−３ｂ外壁部材パネル
１３外壁部材
１３−１，１３−２外壁部材パネル
１３−１ａ，１３−２ａ外壁部材パネル
１３−１ｂ，１３−２ｂ外壁部材パネル
１４内壁部材
１４−１，１４−２内壁部材パネル
１４−１ａ，１４−１ｂ内壁部材パネル
１４−２ａ，１４−２ｂ内壁部材パネル
１５屋根部材
１５−１，１５−２屋根部材パネル
２１小窓
２２ドア
２３窓
２４窓
３１，３２窓
３２ａ，３２ｂ窓
３２ｃ，３２ｄ窓
４１，４２通路用開口
４３山形部分
４４，４５通路用開口
５１ドア枠
５２，５３凹溝
６１窓枠
６２サッシ
Ｐパネル
Ｓ芯材
Ｃコンポジットパネル
Ｈ断熱材
Ｍ棟木
Ｕバスユニット
ＳＲ−１，ＳＲ−２，ＳＲ−３寝室
Ｋキッチン
ＬＤリビングダイニング
【図１】
0005696088.tif 000002
【図２】
0005696088.tif 000003
【図３】
0005696088.tif 000004
【図４】
0005696088.tif 000005
【図５】
0005696088.tif 000006
【図６】
0005696088.tif 000007
【図７】
0005696088.tif 000008
【図８】
0005696088.tif 000009
【図９】
0005696088.tif 000010
【図１０】
0005696088.tif 000011
【図１１】
0005696088.tif 000012
【図１２】
0005696088.tif 000013
【図１３】
0005696088.tif 000014
【図１４】
0005696088.tif 000015
【図１５】
0005696088.tif 000016
【図１６】
0005696088.tif 000017
【図１７】
0005696088.tif 000018